(57)【要約】【課題】        本発明は便座用の衛生的な装置に関連する。本装置は主に便座が多くの人の身体に接触すると共に、病原体の伝染媒体になるという衛生面の課題を解決する為に使用する。【解決手段】        本装置は便座本体、マント、マント回収装置及び便座蓋に構成され、便器に取り付ける。便座本体の切り口に開閉部があり、長い管状のマントは切り口から便座本体に取付け、本体を一回りする。マントは便座本体と便器の接続部に外側から刃に切開かれ、本体の他の部分を覆い、切り口から回収装置に入る。開閉部が閉じた時、便座本体は従来の便座本体と同じ様な完全なリング型の便座本体になり、表面は一回限りの隔離マントに完全に覆われている。マント端末に近づくと、取替えマークが現す。マントの長さによって、１ロールの新しいマントは数十〜数百人の連続使用を提供できる。この装置は構造簡単、衛生的、環境保護に有利で、便利且つ実用である。座り心地も良く、様々場所にある非個人専用の便器に適合する。
2006525818.tif 000002
【特許請求の範囲】
【請求項１】
連続のマントがリング型の便座本体を完全に覆っている便器隔離装置。装置全体は回転軸で便器に固定される。装置は便座本体、マント、マント回収装置及び便座蓋による構成される。その特徴は：
（１）前記の便座本体はリング型や枠組み型で、従来の普通な便座本体と同様の形を持ち、本体に切り口がある。切り口の部分に一つ或は複数の開閉部があり、開閉部の一端は便座本体のその他の部分と繋がり、もう一端は自由に開閉できる。これによって開閉部が閉じられる時、便座本体は完全なリング型になる。
（２）前記の便座本体に前記の便器と繋がる所に刃を設ける。
（３）ロール形のマントが開かれた場合は、長い管状となり、便座本体の表面に取りつけられる。プラスチックや他の内面が滑らか且つ防水の単一、または合成材料で作られる。マントの端末の近くに取替えマークを設ける。
【請求項２】
前記のマントはマントロールに閉じられていて、マントロールの側壁にノッチがあり、ノッチの両ヘリはしっかりくっつけられ、マントの始めの部分はノッチの外側に残すことを特徴とする請求項１記載の装置。
【請求項３】
前記のマント回収装置に分解可能なマント回収ロールを設け、回収ロールの軸は動力伝達装置と噛み合わせ、軸の上にマントを取り付ける為の押しフラップや他の構造があることを特徴とする請求項１記載の装置。
【請求項４】
前記の便座本体と本体回転軸の連結部に刃を設け、連結部には便座本体のへりを沿って、ノッチを切開くと共に、刃がノッチ内に隠されることを特徴とする請求項１記載の装置。
【請求項５】
前記のマント回収装置に動力伝達装置に噛み合う駆動ローラー、及び駆動ローラーに対応する圧力ローラーを設け、これらのローラーはマントを固定し、使用済みのマントを回収することを特徴とする請求項１記載の装置。
【請求項６】
便座本体の回転軸は動力伝達装置と噛み合わせ、マントを交換すると、回転軸は動力伝達装置に連動され、便座本体を上げることを特徴とする請求項１記載の装置。
【請求項７】
便座本体の回転軸はコントローラーに接続されている動力伝達装置の相関ギアアセンブリと噛み合わせ、マントを交換する際に、交換のステップによって、ギアアセンブリはコントローラーに制御され、前方や後方に回転し、または停止し、且つ回転軸も連動して便座本体を開閉することを特徴とする請求項１記載の装置。
【請求項８】
前記のマント回収装置は電力で操作され、スイッチは従来のタッチ・スイッチや非タッチ・
スイッチであることを特徴とする請求項１記載の装置。
【請求項９】
前記のマント回収装置は電力で操作され、モーターはコントローラーに接続され、始動後にモーターや駆動ローラーが予定の時間や予定の回転数になると、動作を停止すると共に、新しいマントはちょうど便座本体の全体を覆うことを特徴とする請求項１記載の装置。
【請求項１０】
前記のマントが便座本体に入る所に紫外線消毒ランプを設け、ランプはコントロール装置と接続し、マント交換時に点灯され、交換完了時に消灯されることを特徴とする請求項１記載の装置。
【発明の詳細な説明】
【技術分野】
【０００１】    本発明は便器とセットで使用する衛生的な装置に関する。
【背景技術】
【０００２】    殆どの便座は個人専用ではない。これらの便座は使用中に多くの人と直接に接触し、事実上各種病原体の伝染媒体になる。既存の特許は便座を改良する為に大量の努力をした。例えば、特許ＺＬ９４２４３３１６．５はカバー交換可能なＵ型便座を提出した。しかし、このＵ型の便座は後ろ向きに口を開いていて、後部は機械部の為、カバーを覆うことができない。【０００３】    物理学では、便座と臀部の接触面積が広ければ広く程臀部の単位面積あたりに受けている圧力が小さくなり、ユーザの座り心地も良くなる。これは木製のスツールに座るよりソファーに座る方が快適であると同じ理由である。特に体重の重い方は特にそうである。前記のＵ型の便座を使用するとき、もしユーザは座り心地を考え、正常な座り方で便座の上に座ると、便座後部の機械部にきっと直接触する。そして、後部の機械部の表面に何の隔離対策もない為、不衛生な問題になり、全面衛生な隔離効果を得られなくなる。もしユーザは衛生を考え、便座本体の前部に寄り座ると、便座後部の機械部から距離を保つ為に、ユーザの体は前に乗り出さなければならない、身体の重心は前方に移さなければならない。そうすると、体重を支える臀部の主な部分は浮かすことになり、体重は両太腿に支えられ、血液循環に悪影響を与えると共に、不健康な姿勢である為、筋肉が緊張状態になり、長時間この姿勢を保つと、体調が悪くなるもあり得る。従来の普通な便座は殆どリング型であり、Ｕ型も少し有るが、前向きに口を開いているので、いずれも人間の座る姿勢の解剖学上の構造と符合している。
【発明の開示】
【発明が解決しようとする課題】
【０００４】    本発明は便座における全面、衛生的な隔離、並びに使用者の快適と便利と言う課題を解決しようとする。本発明は、上記課題を解決することができる便器とセットで使用する新式の衛生的な装置を提供することを目的とする。
【課題を解決するための手段】
【０００５】      本発明に言及される連続のマントがリング型の便座本体を完全に覆っている便器隔離装置は、便座本体、マント、マント回収装置及び便座蓋による構成される。装置全体は回転軸で便器に固定され、随意に上げることができる。
便座本体は二つのタイプがある。一つはリング型で、従来の普通な便座と同様で、便座本体は直接便器本体のリングの上に載せられ、シート材料で作られている。このタイプは完全に従来の便座に代わって使用できる。もう一つは便座と似ている形を持っている枠組み構造で、内側と外側の枠は従来の便座本体の内外にそれぞれ据え付けられる。便座本体に切り口が設けられる。切り口部には一つ或は複数の開閉部が設けられ、開閉部の一端は便座本体のその他の部分と繋がり、もう一端は自由に開閉できる。開閉部が閉じられた時、便座本体は完全なリング型となる。
便座本体と便器の連結部分に刃を設ける。
マントはロールの形に巻かれ、開かれた時は長い管状になる。マントは便座本体の表面につけられ、プラスチックフィルムや他の内側が滑らか且つ防水な単一、または合成の薄いフイルム形の材料で作られる。マントが間もなく切れる事を示す為に、端末の近くに一つ或は一組の取替えマークを設ける。
マントを取り付ける時、便座本体の切り口からマントを取り付け始め、便座本体を一回りに取り巻く。更に、マントは便座本体の後部に本体の外側から刃に切り開かれ、便座本体後部の他の部分を覆ってから、便座本体の切り口から回収装置に入る。開閉部が閉じられた後、便座本体の人体との接触面は全て一層（リング型便座本体）や二層（枠組み型便座本体）の隔離フィルムに覆われ、便座本体は完全なリング型となる。回収装置の動力はモーターや手動のハンドルに提供され、使用後のマントを回収すると共に、新しいマントを動かして便座本体の表面を全て覆う。上記動作の繰り返しで、マント端末の取替えマークが現れ、ユーザはこれを確認し、適時にマントの取り替えを準備する。
【発明の効果】
【０００６】      便座本体は可動開閉部を持っている為、マントを便座本体に取り付ける事と便座本体は完全なリング型になる事の間の矛盾を解決できた。そして、マントを取り替える際に、開閉部を開くことができる為、交換時の新旧マントの接触によって汚染が発生すると言う問題も解決できた。便座本体と便器の連結部分に刃を設ける為、マントはこの部分で便座本体の外側から切り開かれて、便座本体の後部まで覆い続ける。その結果、マントを便座本体の全体の表面に覆う事とマントは便座本体と便器の接続部分に通らなければならないと言う事の間の矛盾を解決できた。上記問題の解決で、一回限りのマントはリング型の便座本体の全表面に清潔且つ完全に覆うことができ、全面的且つ衛生的な便座隔離効果を本当に実現できる。
開閉部が閉じられた後、リング型の便座本体は閉じる。その為、使用者はこの便座本体が従来の便座とは同じであると感じる。その上、フィルム材料は断熱が良いと言う特性があり、便座本体や便座の間に空気層も存在している。その為、秋と冬の室温が高くない時、使用者の肌が瞬間な寒さの刺激を感じる事は避けられ、座り心地が良いと言う設計の目的を達成できる。
マントを便座本体に取り付ける事は容易、且つ取り付けた後マントの長さによって数十から数百回まで使用できる。その上、日常的に使用する際に、単にモーターを起動するまたは手動ハンドルを回転させる事によって、マントは自動的に交換できる為、操作は非常に簡単である。マントの端末に近づいている部分に取替えマークを設けている為、マントの不足によるトラブルを避けることができる。ですから、便利性と実用性を図ると言う設計の目的が実現できる。
【実施例１】
【０００７】      図１で示されたように、隔離装置は主に便座本体（１）、マント（２）、マント回収装置（１３）、及び便座蓋（７）を包括する。
開閉部（１８）は便座本体（１）の側面に設ける。便座本体の反対側に、便器に接続する所に刃（３）を設ける。図１で示されたように、刃を便座本体と回転軸の間の接続部分（６）に設ける事は望ましいである。接続部分に便座本体のへりに沿って、細いノッチ（４）を設け、一層たけのマントが入れられると共に、刃をノッチ（４）の中に設ける事によって、使用者や使用者の服に傷をつけることを避ける。
図１にある便座本体（１）はシート材料で作られたリング型の便座である。図２にある便座本体はバー形の材料で作られた枠組み型である。枠組み型便座本体の内側の枠（２０）と外側の枠（２１）は従来の便座本体（図の中では描いていない）の内側と外側のへりに据付ける。マントが取り付けられた後、マントの上下両層とも従来の便座本体の上に覆う。使用者の座り心地の良さを配慮すれば、枠組み型便座本体が従来の便座本体に交差する部分（１９）を扁平形にすると共に、便座本体の対応位置に凹形の溝を設ける事もできる。代わりに、枠組み型便座本体が従来の便座本体に交差する部分（１９）の両端を下に曲げて、内側の枠（２０）と外側の枠（２１）を便座面より低くする様にすれば、マントを取付けて使用する際に、マントは便座本体の上面とへりをカバーすることができる。
長い管状のマント（２）はマントロール（１０）に密封される。ロールの側壁にはノッチを設け、ノッチの両へり（８）がしっかりくっつけられる。これでマントはロールに戻る事を防げると共に、埃が入ることも防げ、ロール中のマントの清潔を維持する。マントの交換時期を示す為に、マント端末の近くに取替えマークを設ける。
マントロール（１０）はリサイクル可能な材料で作られ、中に巻かれているマントと一緒に１回限りで使用する。それは環境保護に有利で、資源の再利用もできると共に、輸送、格納及び使用の際にマントの清潔を維持することもできる。
マント回収装置（１３）はモーターや手動ハンドル（１４）の動力で動かさる。モーターと手動ハンドル両方の提供する場合、例え停電になっても正常に使用できる。
マント回収装置（１３）に分解可能なマント回収ロール（１６）を設ける。回収ロールの中軸（１５）の上にマントを取り付ける為の押しフラップや他の構造がある。中軸は動力伝達装置（１２）と噛み合う。
マント回収ロール（１６）はリサイクル可能な材料で作られ、一度だけ使用する。一巻きのマントが使いきられた後に、回収ロールと中の使用済みのマントと一緒に取り出して、リサイクルをすることができる。それは環境保護に有利で、資源の再利用もできると共に、操作を簡素化し、マントをリサイクルする為の人力を減少でき、使用済みマントの汚染問題も解決できる。
マント回収装置（１３）に動力伝達装置（１２）と噛み合う駆動ローラー（１７）を設ける。駆動ローラーは圧力ローラーに対応する。二つのローラーはマントをしっかり挟んで、マントを回収する。
便座本体の回転軸（５）は動力伝達装置（１２）に噛み合うことができる。マントの取り替えと同時に、新しいマントの下側の表面が便器のリング（リング型の便座本体の場合）か従来の普通の便座（枠組み型便座本体の場合）に接触しない様に、便座本体（１）を上げる。それで、例えマントは滑り途中に上下の面が逆さになっても、同様な全面的な清潔を維持できる。また、この設計はマント交換中の滑るによる抵抗を抑える。その上、関連するギヤアセンブリを制御する為のコントローラを増設でき、マントを交換する際に、交換のステップによって、ギアアセンブリを制御し、前方や後方に回転させ、または停止させると共に、便座本体回転軸も連動して、便座本体のマント交換開始時の上げる動作と終了時の下に置く動作を実現する。
マントロール（１０）はロールボディーに垂直な回転軸（９）によって装置の他の部分に接続される。マントロール（１０）はマントの出力方向に自由に回転できる。これで、例えマント交換中に、上下の面の連続な逆さが発生しても、マントも経路に続いて、自然に捻り回して、便座本体に取付けることができる。マントロールを使用しない時、マントを置く為の保持装置はマントロールの中軸に垂直な回転軸で他の部分に接続する。また、保持装置もマントの出力方向に自由に回転できる。
マント回収装置（１３）は電力によって操作されるなら、回収装置のスイッチは、従来のタッチ・スイッチまたは光によってコントロールされる様な非タッチ・スイッチを使用できる。タッチ・スイッチはシンプルで、信頼できる。非タッチ・スイッチは使用者の指に接触される必要はありません。非タッチ・スイッチの構造はより複雑であるが、より清潔である。
モーターをコントローラに接続することができる。起動された時、モーターや駆動ローラーが一定の時間や回数に回ると、自動的に動きを停止する。この時、新しいマントはちょうど便座本体の全体を覆って、浪費は起こらない。
その上、紫外線消毒ランプ（１１）をマントの入力端（Ａ）に設けることができ、コントローラに接続する。マントの取り替えが開始した時、紫外線消毒ランプは点灯され、そして、取替え終了後に紫外線消毒ランプは自動的に消灯される。紫外線消毒ランプは殺菌、消毒の為に使用され、マントの衛生と清潔を保証する。
多くの便器において、水槽が便器本体の後部に配置されている為、実施例１におけるマントロール（１０）やマント保持装置は便座本体の回転軸の下側に配置される事が望ましいである。マントは上向きに出力されてから前方にターンして、便座本体の切り口に入り、後部の水槽を避ける。
上記構造に基づき、実施例１におけるマントの取付け方法及び使用方法は以下通りである：
新しいマントを取付ける時、マント（２）は便座本体の回転軸（５）の下側のマントロール（１０）から引出される（図１は説明図である。分かり易く示す為に、便座本体の回転軸（５）の下方にマントロール（１０）を描かなかった）。マントは先ず上向きに出力され、便座本体の回転軸（５）の後に通して、前方に回らせる。マントは便座本体の開閉部（１８）から便座本体（１）に取付け、本体に一回り取り巻く。マントは便座本体の後部（１ａ）から便座本体の回転軸の接続部（６）にあるノッチ（４）に入る。マントは便座本体の外側から内蔵された刃（３）に切り開かれて、便座本体の後部（１ａ）の他の部分を覆う。次に、マントは便座本体の切り口からマント回収装置（１３）に入る。最後に、マントは駆動ローラー（１７）と圧力ローラーを通って、マントの始めの部分は回収ロール（１６）の中軸（１５）に取り付けられる。以上を持ちまして、マントの取付けが終わる。開閉部（１８）を閉じると、新しいマントは直ちに使用できる。
それから使用者は毎回スイッチを押すか手動ハンドル（１４）を回すことによって本装置を使用する。動力の駆動で便座本体（１）は上がって、駆動ローラー（１７）と圧力ローラーは使用済みのマントを巻き込む。マントの張力で開閉部（１８）は連結されているマントの入力端（Ａ）に向かって傾き、便座本体の水平面との間に夾角を形成する。新しいマントはマントロール（１０）から引出されて、同時に点灯された紫外線消毒ランプ（１１）によって照射された後に、開閉部を通って便座本体に取付ける。新しいマントとその下に通る使用済みマントとの間に隔離空間が形成され、新しいマントは使用済みマントによって汚染されることはない。次に、新しいマントは便座本体の前部に取付け、刃（３）に切り開かれてから便座本体の後部（１ａ）を覆い、ついに便座本体の全体を完全に覆う。便座本体は下がって、開閉部が閉じられた後、新しいマントは直ちに使用できる。そのように、取替えマークが現れるまで繰り返して使用する。そして、使用者は適切な時期に新しいマントを取替える事ができる。
マント（２）は便座本体の切り口を通って、回収装置（１３）に入って、駆動ローラー（１７）と圧力ローラーに引かれて動かされた後に、直接ゴミ箱に垂れて入る事ができる。これによって、使用済みのマントは定期的に回収される事ができる。
異なる案にて、多くの部分を変更する事ができる。例えば開閉部の開閉方向や開閉部の位置、及び開閉部の数などである。開閉部は実施例１のように、便座本体の水平面の上で開閉するように設計でき、便座本体の水平面の下で開閉するように設計することもできる（図３と４に示されたように）。更に、便座本体の水平面から外側向けに開閉させることも設計できる。開閉部は実施例１のように便座本体の片側に設けることができ、便座本体の後部（１ａ）に設けることもできる。後者の場合、便座本体と回転軸の間の接続部分（６）は一つまで減少することができる（図３と４に示されたように）。開閉部の数は実施例１と同様に一つを設けることができ、一つ以上を設けることもできる。その上、マントが便座本体に取付けられる際の方向やマントロール（１０）とマント回収装置（１３）の位置も相応して変更するができる。
【実施例２】
【０００８】      実施例２は実施例１に言及された異なる案の例である。図３で示された実施例２に、二つの開閉部（１８）は両方とも便座本体の後部（１ａ）に設けられている。切り口左側の開閉部は便座本体の水平面以下で開閉し、便座本体の水平面下にあるマント回収端（Ｂ）に対応する。切り口右側の開閉部は便座本体の水平面以上で開閉し、便座本体の水平面上にあるマント入力端（Ａ）に対応する。この実装例の利点は、マントの入力端が側面にあり、便器後部の水槽を徹底的に避けることができる。
【実施例３】
【０００９】      実施例３は実施例１に言及された異なる案の例である。図４で示された実施例３は、実施例２に基づいて、マントの入力端（Ａ）を回収端（Ｂ）と同じ側に設けて、マント回収端（Ｂ）の上方に配置する。新しいマントと使用済みマントは両方とも便座本体の下に通る。その上、新しいマントは便座本体の切り口で折り返してから便座本体に取付ける。この実装例の利点はマントの入力端が徹底的に便器後部の水槽を避けることができる。また、マントの入力端と出力端は隣接しているので、本装置の構造は更にコンパクトになる。便座本体が上げられて、マントの交換が終了した後に、便座本体が下がる時、開閉部は自動的に閉じる。新しいマントは便座本体の水平面下で折り返してから便座本体の切り口に取付けられる為、便座本体の上面の概観は更にさっぱりしている。
【図面の簡単な説明】
【００１０】
【図１】本発明の実施例１の説明図である。
【図２】本発明の実施例１の便座本体部分（枠組み型）の説明図である。
【図３】本発明の実施例２の便座本体後部の断面図である。
【図４】本発明の実施例３の便座本体後部の断面図である。
【符号の説明】
【００１１】      １  便座本体
１ａ  便座本体後部
２  マント
３  刃
４  ノッチ
５  便座本体回転軸
６  便座本体回転軸接続部
７  便座蓋
８  マントロールのノッチ・へり
９  回転軸
１０  マントロール
１１  紫外線消毒ランプ
１２  動力伝達装置
１３  マント回収装置
１４  手動のハンドル
１５  回収ロールの中軸
１６  回収ロール
１７  駆動ローラー
１８  開閉部
１９  枠組み型便座本体が従来の便座本体に交差する部分
２０  枠組み型便座本体の内側の枠
２１  枠組み型便座本体の外側の枠
Ａ  マントの入力端
Ｂ  マントの回収端
【図１】
2006525818.tif 000003
【図２】
2006525818.tif 000004
【図３】
2006525818.tif 000005
【図４】
2006525818.tif 000006
【手続補正書】
【提出日】平成15年12月31日(2003.12.31)
【手続補正１】
【補正対象書類名】特許請求の範囲
【補正対象項目名】全文
【補正方法】変更
【補正の内容】
【特許請求の範囲】
【請求項１】
連続のマントがリング型の便座本体を完全に覆っている便器隔離装置。装置全体は回転軸で便器に固定される。装置は便座本体、マント、マント回収装置及び便座蓋による構成される。便座本体は従来の普通な便座本体と同様の形を持ち、後部或は後部に近い所に切り口があり、長い管状のマントは切り口から便座本体につけられる。その特徴は：
（１）前記の便座本体はリング型や枠組み型である。
（２）前記の便座本体に前記の便器と繋がる所に刃を設ける。
（３）前記の便座本体の後部は前記の切り開かれたマントに覆われている。
【請求項２】
プラスチックや他の単一、または合成材料で作られ、且つ、マントが間もなく切れる事を示す為に、端末の近くに一つ或は一組の取替えマークを設けることを特徴とする請求項１記載の便器隔離装置用のマント。
【請求項３】
前記の切り口部分に一つ或は複数の開閉部があり、開閉部の一端は可動パーツで便座本体のその他の部分と繋がり、これによって開閉部が閉じられる時、便座本体は完全なリング型になることを特徴とする請求項１記載の装置。
【請求項４】
前記のマントはマントロールに閉じられていて、マントロールの側壁にノッチがあり、ノッチの両ヘリはしっかりくっつけられ、マントの始めの部分はノッチの外側に残すことを特徴とする請求項２記載の装置。
【請求項５】
前記のマント回収装置に分解可能なマント回収ロールを設け、回収ロールの軸は動力伝達装置と噛み合わせ、軸の上にマントを取り付ける為の押しフラップや他の構造があることを特徴とする請求項１記載の装置。
【請求項６】
前記のマント回収装置に動力伝達装置に噛み合う駆動ローラー、及び駆動ローラーに対応する圧力ローラーを設け、これらのローラーはマントを固定し、使用済みのマントを回収することを特徴とする請求項１記載の装置。
【請求項７】
便座本体の回転軸はコントローラーに接続されている動力伝達装置の相関ギアアセンブリと噛み台わせ、マントを交換する際に、交換のステップによって、ギアアセンブリはコントローラーに制御され、前方や後方に回転し、または停止し、且つ回転軸も連動して便座本体を開閉することを特徴とする請求項１記載の装置。
【請求項８】
前記のマント回収装置は電力で操作され、スイッチは従来のタッチ・スイッチや非タッチ・スイッチであることを特徴とする請求項１記載の装置。
【請求項９】
前記のマント回収装置は電力で操作され、モーターはコントローラーに接続され、始動後にモーターや駆動ローラーが予定の時間や予定の回転数になると、動作を停止すると共に、新しいマントはちょうど便座本体の全体を覆うことを特徴とする請求項１記載の装置。
【請求項１０】
前記のマントが便座本体に入る所に紫外線消毒ランプを設けることを特徴とする請求項１記載の装置。
【手続補正２】
【補正対象書類名】明細書
【補正対象項目名】全文
【補正方法】変更
【補正の内容】
【発明の詳細な説明】
【技術分野】
【０００１】    本発明は便器とセットで使用する衛生的な装置に関する。
【背景技術】
【０００２】    殆どの便座は個人専用ではない。これらの便座は使用中に多くの人と直接に接触し、事実上各種病原体の伝染媒体になる。既存の特許は便座を改良する為に大量の努力をした。例えば、中国の特許ＺＬ９４２４３３１６．５はカバー交換可能なＵ型便座を提出した。しかし、このＵ型の便座は後ろ向きに口を開いていて、後部は機械部の為、カバーを覆うことができない。【０００３】    物理学では、便座と臀部の接触面積が広ければ広く程臀部の単位面積あたりに受けている圧力が小さくなり、ユーザの座り心地も良くなる。これは木製のスツールに座るよりソファーに座る方が快適であると同じ理由である。特に体重の重い方は特にそうである。前記のＵ型の便座を使用するとき、もしユーザは座り心地を考え、正常な座り方で便座の上に座ると、便座後部の機械部にきっと直接触する。そして、後部の機械部の表面に何の隔離対策もない為、不衛生な問題になり、全面衛生な隔離効果を得られなくなる。もしユーザは衛生を考え、便座本体の前部に寄り座ると、便座後部の機械部から距離を保つ為に、ユーザの体は前に乗り出さなければならない、身体の重心は前方に移さなければならない。そうすると、体重を支える臀部の主な部分は浮かすことになり、体重は両太腿に支えられ、血液循環に悪影響を与えると共に、不健康な姿勢である為、筋肉が緊張状態になり、長時間この姿勢を保つと、体調が悪くなるもあり得る。従来の普通な便座は殆どリング型であり、Ｕ型も少し有るが、前向きに口を開いているので、いずれも人間の座る姿勢の解剖学上の構造と符合している。
【発明の開示】
【発明が解決しようとする課題】
【０００４】    本発明は便座における全面、衛生的な隔離、並びに使用者の快適と便利と言う課題を解決しようとする。本発明は、上記課題を解決することができる便器とセットで使用する新式の衛生的な装置を提供することを目的とする。
【課題を解決するための手段】
【０００５】      本発明に言及される連続のマントがリング型の便座本体を完全に覆っている便器隔離装置は便座本体、マント、マント回収装置及び便座蓋による構成される。装置全体は回転軸で便器に固定され、随意に上げることができる。
便座本体は二つのタイプがある。一つはリング型で、従来の普通な便座と同様で、便座本体は直接便器本体のリングの上に載せられ、シート材料で作られている。このタイプは完全に従来の便座に代わって使用できる。もう一つは便座と似ている形を持っている枠組み構造で、内側と外側の枠は従来の便座本体の内外にそれぞれ据え付けられる。便座本体の後部或は後部の近い所に、切り口が設けられる。切り口部には一つ或は複数の開閉部が設けられ、開閉部の一端は便座本体のその他の部分と繋がり、もう一端は自由に開閉できる。開閉部が閉じられた時、便座本体は完全なリング型となる。
便座本体と便器の連結部分に刃を設ける。
マントはロールの形に巻かれ、開かれた時は長い管状になる。マントは便座本体の表面につけられ、プラスチックフィルムや他の内側が滑らか且つ防水な単一、または合成の薄いフイルム形の材料で作られる。マントが間もなく切れる事を示す為に、端末の近くに一つ或は一組の取替えマークを設ける。
マントを取り付ける時、便座本体の切り口からマントを取り付け始め、便座本体を一回りに取り巻く。更に、マントは便座本体の後部に本体の外側から刃に切り開かれ、便座本体後部の他の部分を覆ってから、便座本体の切り口から回収装置に入る。開閉部が閉じられた後、便座本体の人体との接触面は全て一層（リング型便座本体）や二層（枠組み型便座本体）の隔離フィルムに覆われ、便座本体は完全なリング型となる。回収装置の動力はモーターや手動のハンドルに提供され、使用後のマントを回収すると共に、新しいマントを動かして便座本体の表面を全て覆う。上記動作の繰り返しで、マント端末の取替えマークが現れ、ユーザはこれを確認し、適時にマントの取り替えを準備する。
【発明の効果】
【０００６】      便座本体は可動開閉部を持っている為、マントを便座本体に取り付ける事と便座本体は完全なリング型になる事の間の矛盾を解決できた。そして、マントを取り替える際に、開閉部を開くことができる為、交換時の新旧マントの接触によって汚染が発生すると言う問題も解決できた。便座本体と便器の連結部分に刃を設ける為、マントはこの部分で便座本体の外側から切り開かれて、便座本体の後部まで覆い続ける。その結果、マントを便座本体の全体の表面に覆う事とマントは便座本体と便器の接続部分に通らなければならないと言う事の間の矛盾を解決できた。上記問題の解決で、一回限りのマントはリング型の便座本体の全表面に清潔且つ完全に覆うことができ、全面的且つ衛生的な便座隔離効果を本当に実現できる。
開閉部が閉じられた後、リング型の便座本体は閉じる。その為、使用者はこの便座本体が従来の便座とは同じであると感じる。その上、フィルム材料は断熱が良いと言う特性があり、便座本体や便座の間に空気層も存在している。その為、秋と冬の室温が高くない時、使用者の肌が瞬間な寒さの刺激を感じる事は避けられ、座り心地が良いと言う設計の目的を達成できる。
マントを便座本体に取り付ける事は容易、且つ取り付けた後マントの長さによって数十から数百回まで使用できる。その上、日常的に使用する際に、単にモーターを起動するまたは手動ハンドルを回転させる事によって、マントは自動的に交換できる為、操作は非常に簡単である。マントの端末に近づいている部分に取替えマークを設けている為、マントの不足によるトラブルを避けることができる。ですから、便利性と実用性を図ると言う設計の目的が実現できる。
【実施例１】
【０００７】      図１で示されたように、隔離装置は主に便座本体（１）、マント（２）、マント回収装置（１３）、及び便座蓋（７）を包括する。
開閉部（１８）は便座本体（１）の側面に設ける。便座本体の反対側に、便器に接続する所に刃（３）を設ける。図１で示されたように、刃を便座本体と回転軸の間の接続部分（６）に設ける事は望ましいである。接続部分に便座本体のへりに沿って、細いノッチ（４）を設け、一層だけのマントが入れられると共に、刃をノッチ（４）の中に設ける事によって、使用者や使用者の服に傷をつけることを避ける。
図１にある便座本体（１）はシート材料で作られたリング型の便座である。図２にある便座本体はバー形の材料で作られた枠組み型である。枠組み型便座本体の内側の枠（２０）と外側の枠（２１）は従来の便座本体（図の中では描いていない）の内側と外側のへりに据付ける。マントが取り付けられた後、マントの上下両層とも従来の便座本体の上に覆う。使用者の座り心地の良さを配慮すれば、枠組み型便座本体が従来の便座本体に交差する部分（１９）を扁平形にすると共に、便座本体の対応位置に凹形の溝を設ける事もできる。代わりに、枠組み型便座本体が従来の便座本体に交差する部分（１９）の両端を下に曲げて、内側の枠（２０）と外側の枠（２１）を便座面より低くする様にすれば、マントを取付けて使用する際に、マントは便座本体の上面とへりをカバーすることができる。
長い管状のマント（２）はマントロール（１０）に密封される。ロールの側壁にはノッチを設け、ノッチの両へり（８）がしっかりくっつけられる。これでマントはロールに戻る事を防げると共に、埃が入ることも防げ、ロール中のマントの清潔を維持する。マントの交換時期を示す為に、マント端末の近くに取替えマークを設ける。
マントロール（１０）はリサイクル可能な材料で作られ、中に巻かれているマントと一緒に１回限りで使用する。それは環境保護に有利で、資源の再利用もできると共に、輸送、格納及び使用の際にマントの清潔を維持することもできる。
マント回収装置（１３）はモーターや手動ハンドル（１４）の動力で動かさる。モーターと手動ハンドル両方の提供する場合、例え停電になっても正常に使用できる。
マント回収装置（１３）に分解可能なマント回収ロール（１６）を設ける。回収ロールの中軸（１５）の上にマントを取り付ける為の押しフラップや他の構造がある。中軸は動力伝達装置（１２）と噛み合う。
マント回収ロール（１６）はリサイクル可能な材料で作られ、一度だけ使用する。一巻きのマントが使いきられた後に、回収ロールと中の使用済みのマントと一緒に取り出して、リサイクルをすることができる。それは環境保護に有利で、資源の再利用もできると共に、操作を簡素化し、マントをリサイクルする為の人力を減少でき、使用済みマントの汚染問題も解決できる。
マント回収装置（１３）に動力伝達装置（１２）と噛み合う駆動ローラー（１７）を設ける。駆動ローラーは圧力ローラーに対応する。二つのローラーはマントをしっかり挟んで、マントを回収する。
便座本体の回転軸（５）は動力伝達装置（１２）に噛み合うことができる。マントの取り替えと同時に、新しいマントの下側の表面が便器のリング（リング型の便座本体の場合）か従来の普通の便座（枠組み型便座本体の場合）に接触しない様に、便座本体（１）を上げる。それて、例えマントは滑り途中に上下の面が逆さになっても、同様な全面的な清潔を維持できる。また、この設計はマント交換中の滑るによる抵抗を抑える。その上、関連するギヤアセンブリを制御する為のコントローラを増設でき、マントを交換する際に、交換のステップによって、ギアアセンブリを制御し、前方や後方に回転させ、または停止させると共に、便座本体回転軸も連動して、便座本体のマント交換開始時の上げる動作と終了時の下に置く動作を実現する。
マントロール（１０）はロールボディーに垂直な回転軸（９）によって装置の他の部分に接続される。マントロール（１０）はマントの出力方向に自由に回転できる。これで、例えマント交換中に、上下の面の連続な逆さが発生しても、マントも経路に続いて、自然に捻り回して、便座本体に取付けることができる。マントロールを使用しない時、マントを置く為の保持装置はマントロールの中軸に垂直な回転軸で他の部分に接続する。また、保持装置もマントの出力方向に自由に回転できる。
マント回収装置（１３）は電力によって操作されるなら、回収装置のスイッチは、従来のタッチ・スイッチまたは光によってコントロールされる様な非タッチ・スイッチを使用できる。タッチ・スイッチはシンプルで、信頼できる。非タッチ・スイッチは使用者の指に接触される必要はありません。非タッチ・スイッチの構造はより複雑であるが、より清潔である。
モーターをコントローラに接続することができる。起動された時、モーターや駆動ローラーが一定の時間や回数に回ると、自動的に動きを停止する。この時、新しいマントはちょうど便座本体の全体を覆って、浪費は起こらない。
その上、紫外線消毒ランプ（１１）をマントの入力端（Ａ）に設けることができ、コントローラに接続する。マントの取り替えが開始した時、紫外線消毒ランプは点灯され、そして、取替え終了後に紫外線消毒ランプは自動的に消灯される。紫外線消毒ランプは殺菌、消毒の為に使用され、マントの衛生と清潔を保証する。
多くの便器において、水槽が便器本体の後部に配置されている為、実施例１におけるマントロール（１０）やマント保持装置は便座本体の回転軸の下側に配置される事が望ましいである。マントは上向きに出力されてから前方にターンして、便座本体の切り口に入り、後部の水槽を避ける。
上記構造に基づき、実施例１におけるマントの取付け方法及び使用方法は以下通りである：
新しいマントを取付ける時、マント（２）は便座本体の回転軸（５）の下側のマントロール（１０）から引出される（図１は説明図である。分かり易く示す為に、便座本体の回転軸（５）の下方にマントロール（１０）を描かなかった）。マントは先ず上向きに出力され、便座本体の回転軸（５）の後に通して、前方に回らせる。マントは便座本体の開閉部（１８）から便座本体（１）に取付け、本体に一回り取り巻く。マントは便座本体の後部（１ａ）から便座本体の回転軸の接続部（６）にあるノッチ（４）に入る。マントは便座本体の外側から内蔵された刃（３）に切り開かれて、便座本体の後部（１ａ）の他の部分を覆う。次に、マントは便座本体の切り口からマント回収装置（１３）に入る。最後に、マントは駆動ローラー（１７）と圧力ローラーを通って、マントの始めの部分は回収ロール（１６）の中軸（１５）に取り付けられる。以上を持ちまして、マントの取付けが終わる。開閉部（１８）を閉じると、新しいマントは直ちに使用できる。
それから使用者は毎回スイッチを押すか手動ハンドル（１４）を回すことによって本装置を使用する。動力の駆動で便座本体（１）は上がって、駆動ローラー（１７）と圧力ローラーは使用済みのマントを巻き込む。マントの張力で開閉部（１８）は連結されているマントの入力端（Ａ）に向かって傾き、便座本体の水平面との間に夾角を形成する。新しいマントはマントロール（１０）から引出されて、同時に点灯された紫外線消毒ランプ（１１）によって照射された後に、開閉部を通って便座本体に取付ける。新しいマントとその下に通る使用済みマントとの間に隔離空間が形成され、新しいマントは使用済みマントによって汚染されることはない。次に、新しいマントは便座本体の前部に取付け、刃（３）に切り開かれてから便座本体の後部（１ａ）を覆い、ついに便座本体の全体を完全に覆う。便座本体は下がって、開閉部が閉じられた後、新しいマントは直ちに使用できる。そのように、取替えマークが現れるまで繰り返して使用する。そして、使用者は適切な時期に新しいマントを取替える事ができる。
マント（２）は便座本体の切り口を通って、回収装置（１３）に入って、駆動ローラー（１７）と圧力ローラーに引かれて動かされた後に、直接ゴミ箱に垂れて入る事ができる。これによって、使用済みのマントは定期的に回収される事ができる。
異なる案にて、多くの部分を変更する事ができる。例えば開閉部の開閉方向や開閉部の位置、及び開閉部の数などである。開閉部は実施例１のように、便座本体の水平面の上で開閉するように設計でき、便座本体の水平面の下で開閉するように設計することもできる（図３と４に示されたように）。更に、便座本体の水平面から外側向けに開閉させることも設計できる。開閉部は実施例１のように便座本体の片側に設けることができ、便座本体の後部（１ａ）に設けることもできる。後者の場合、便座本体と回転軸の間の接続部分（６）は一つまで減少することができる（図３と４に示されたように）。開閉部の数は実施例１と同様に一つを設けることができ、一つ以上を設けることもできる。その上、マントが便座本体に取付けられる際の方向やマントロール（１０）とマント回収装置（１３）の位置も相応して変更するができる。
【実施例２】
【０００８】      実施例２は実施例１に言及された異なる案の例である。図３で示された実施例２に、二つの開閉部（１８）は両方とも便座本体の後部（１ａ）に設けられている。切り口左側の開閉部は便座本体の水平面以下で開閉し、便座本体の水平面下にあるマント回収端（Ｂ）に対応する。切り口右側の開閉部は便座本体の水平面以上で開閉し、便座本体の水平面上にあるマント入力端（Ａ）に対応する。この実装例の利点は、マントの入力端が側面にあり、便器後部の水槽を徹底的に避けることができる。
【実施例３】
【０００９】      実施例３は実施例１に言及された異なる案の例である。図４で示された実施例３は、実施例２に基づいて、マントの入力端（Ａ）を回収端（Ｂ）と同じ側に設けて、マント回収端（Ｂ）の上方に配置する。新しいマントと使用済みマントは両方とも便座本体の下に通る。その上、新しいマントは便座本体の切り口で折り返してから便座本体に取付ける。この実装例の利点はマントの入力端が徹底的に便器後部の水槽を避けることができる。また、マントの入力端と出力端は隣接しているので、本装置の構造は更にコンパクトになる。便座本体が上げられて、マントの交換が終了した後に、便座本体が下がる時、開閉部は自動的に閉じる。新しいマントは便座本体の水平面下で折り返してから便座本体の切り口に取付けられる為、便座本体の上面の概観は更にさっぱりしている。
【図面の簡単な説明】
【００１０】
【図１】本発明の実施例１の説明図である。
【図２】本発明の実施例１の便座本体部分（枠組み型）の説明図である。
【図３】本発明の実施例２の便座本体後部の断面図である。
【図４】本発明の実施例３の便座本体後部の断面図である。
【符号の説明】
【００１１】      １  便座本体
１ａ  便座本体後部
２  マント
３  刃
４  ノッチ
５  便座本体回転軸
６  便座本体回転軸接続部
７  便座蓋
８  マントロールのノッチ・へり
９  回転軸
１０  マントロール
１１  紫外線消毒ランプ
１２  動力伝達装置
１３  マント回収装置
１４  手動のハンドル
１５  回収ロールの中軸
１６  回収ロール
１７  駆動ローラー
１８  開閉部
１９  枠組み型便座本体が従来の便座本体に交差する部分
２０  枠組み型便座本体の内側の枠
２１  枠組み型便座本体の外側の枠
Ａ  マントの入力端
Ｂ  マントの回収端
【手続補正書】
【提出日】平成18年3月14日(2006.3.14)
【手続補正１】
【補正対象書類名】特許請求の範囲
【補正対象項目名】全文
【補正方法】変更
【補正の内容】
【特許請求の範囲】
【請求項１】
連続のマントがリング型の便座本体を完全に覆っている便器隔離装置。装置全体は回転軸で便器に固定される。装置は便座本体、マント、マント回収装置及び便座蓋による構成される。便座本体は従来の普通な便座本体と同様の形を持ち、後部或は後部に近い所に切り口があり、長い管状のマントは切り口から便座本体につけられる。その特徴は：
（１）前記の便座本体はリング型や枠組み型である。
（２）前記の便座本体に前記の便器と繋がる所に刃を設ける。
（３）前記の便座本体の後部は前記の切り開かれたマントに覆われている。
【請求項２】
プラスチックや他の単一、または合成材料で作られ、且つ、マントが間もなく切れる事を示す為に、端末の近くに一つ或は一組の取替えマークを設けることを特徴とする請求項１記載の便器隔離装置用のマント。
【請求項３】
前記の切り口部分に一つ或は複数の開閉部があり、開閉部の一端は可動パーツで便座本体のその他の部分と繋がり、これによって開閉部が閉じられる時、便座本体は完全なリング型になることを特徴とする請求項１記載の装置。
【国際調査報告】
2006525818.tif 000007
2006525818.tif 000008
2006525818.tif 000009